(57)【特許請求の範囲】
【請求項１】
壁掛タイプの空調室内機であって、
天面に天面吸込口（２１）を有するケーシング（１１）と、
前記ケーシング内部に位置し、前記天面吸込口から吸込まれる空気の流れを生成するファン（１５）と、
前記ケーシング内部にて、前記ファンの前方を覆う前側熱交換部（１３ａ，１３ｂ）と前記ファンの後側を覆う後側熱交換部（１３ｃ）とが側面視において略逆Ｖ字型に組み合わされてなる熱交換器（１３）と、
前記ケーシング内部に着脱可能に装着され、前記前側熱交換部及び前記後側熱交換部を覆い且つ前後方向における第１後側端部（２５ｂ）が前記熱交換器の頂点（１３ｄ）よりも下方に位置する形状を有し、前記天面吸込口から吸込まれた空気から塵埃を除去するフィルタ（２５）と、
前記フィルタ付近に位置し、前記フィルタを清掃する清掃部（３０）と、
前記前側熱交換部及び前記後側熱交換部の上方に位置し、前記清掃部の少なくとも一部分を支持し、更には前記フィルタ装着の際、前記ケーシングの正面側から内部へと差し込まれた前記フィルタを該ケーシングの背面側へと導くと共に該フィルタを支持する、前後方向における第２後側端部（４０ｂ）が前記熱交換器の頂点よりも後側且つ下方に位置する形状の支持部材（４０）と、
を備え、
前記支持部材は、前記前側熱交換部（１３ａ，１３ｂ）の上方で前後方向に分割された２つの分割部（４４，４５）を有している、
空調室内機（１００）。
【請求項２】
前記清掃部（３０）は、前記フィルタと接触して前記フィルタから塵埃を除去するブラシ（３３）と、前記フィルタ及び／または前記ブラシを相対的に移動させる駆動部（３２，３４）と、を有し、
前記駆動部（３２，３４）は、前記分割部のうち、前記ケーシングの正面側に位置する前側分割部（４４）によって支持されている、
請求項１に記載の空調室内機（１００）。
【請求項３】
２つの前記分割部（４４，４５）は、螺子が前記ケーシングの正面側から背面側へとねじ込まれることによって前記ケーシングに固定される、
請求項１または２に記載の空調室内機（１００）。
【請求項４】
前記ケーシングは、下面に設けられた下面吸込口（２２）を更に有し、
前記フィルタは、更に前記下面吸込口から吸込まれた空気から塵埃を除去する、
請求項１から３のいずれか１項に記載の空調室内機（１００）。
【発明の詳細な説明】
【技術分野】
【０００１】
本発明は、空調室内機、特に、壁掛タイプの空調室内機に関する。
【背景技術】
【０００２】
空調機には、屋外に設置される室外機と室内に設置される室内機とで構成されるセパレートタイプのものがある。特に、室内機には、室内の壁面等に取り付けられる壁掛タイプのものがある。
【０００３】
壁掛タイプの室内機としては、例えば特許文献１（特開２００１−３１１５３０号公報）に示されるものが知られている。特許文献１に係る室内機は、天面に天面吸込口を有し、下面に下面吸込口と吹出口とを有している。この室内機によると、室内空気は、両吸込口から吸い込まれ熱交換器にて熱交換された後、吹出口を介して室内へと吹き出される。特に、特許文献１に係る熱交換器は、逆Ｖ字型の形状を有しており、その表面は、室内空気に含まれる塵埃を除去するためのフィルタで覆われている。
【発明の概要】
【発明が解決しようとする課題】
【０００４】
ところで、室内機には、熱交換器を覆うようにフィルタを支持するための支持部材が、更に設けられている。室内機のメンテナンスを行う場合、室内機内部の部品において不具合があるか否かを確認するべく、まずは支持部材を室内機のケーシングから取り外す作業が行われるが、室内機の構造上、支持部材は室内機の天面付近に位置しているため、支持部材は、ケーシングの上側から取り外されることが好ましい。
【０００５】
しかしながら、特許文献１に示されているように、熱交換器が逆Ｖ字型の形状を有していると、支持部材は、例えば逆Ｕ字型の形状を有していることが多い。すると、室内機の天面と室内の天井との間隔の大きさによっては、支持部材を室内機の上側から取り外すことが困難となる虞がある。
【０００６】
そこで、本発明の課題は、支持部材をケーシングから取り出し易くすることにある。
【課題を解決するための手段】
【０００７】
本発明の第１観点に係る空調室内機は、壁掛タイプの空調室内機であって、ケーシングと、ファンと、熱交換器と、フィルタと、清掃部と、支持部材とを備える。ケーシングは、天面に天面吸込口を有する。ファンは、ケーシング内部に位置し、天面吸込口から吸込まれる空気の流れを生成する。熱交換器は、ケーシング内部にて、前側熱交換部と後側熱交換部とが側面視において略逆Ｖ字型に組み合わされた構成を有する。前側熱交換部は、ファンの前方を覆うものであり、後側熱交換部は、ファンの後側を覆うものである。フィルタは、ケーシング内部に着脱可能に装着され、前側熱交換部及び後側熱交換部を覆い且つ前後方向における第１後側端部が熱交換器の頂点よりも下方に位置する形状を有し、天面吸込口から吸込まれた空気から塵埃を除去する。清掃部は、フィルタ付近に位置し、フィルタを清掃する。支持部材は、前側熱交換部及び後側熱交換部の上方に位置し、清掃部の少なくとも一部分を支持する。更には、支持部材は、フィルタ装着の際、ケーシングの正面側から内部へと差し込まれたフィルタを該ケーシングの背面側へと導くと共に、該フィルタを支持する。更に、支持部材は、前後方向における第２後側端部が熱交換器の頂点よりも後側、且つ下方に位置する形状を有する。そして、支持部材は、前後方向に分割された複数の分割部にて構成されている。
【０００８】
この空調室内機では、支持部材が前後方向に分割されているため、支持部材をケーシングから取り出し易くなっている。
【０００９】
本発明の第２観点に係る空調室内機は、第１観点に係る空調室内機において、清掃部は、ブラシと駆動部とを有する。ブラシは、フィルタと接触してフィルタから塵埃を除去する。駆動部は、フィルタ及び／またはブラシを相対的に移動させる。そして、駆動部は、複数の分割部のうち、ケーシングの正面側に位置する前側分割部によって支持されている。
【００１０】
これにより、駆動部に対するメンテナンスが必要な場合、支持部材全てをケーシングから取り外すのではなく、駆動部を支持している前側分割部のみを取り出せばよいこととなる。そのため、メンテナンスがよりし易くなる。
【００１１】
本発明の第３観点に係る空調室内機は、第１観点または第２観点に係る空調室内機において、支持部材は、前後方向に分割された２つの分割部を有する。２つの分割部は、螺子がケーシングの正面側から背面側へとねじ込まれることによって、ケーシングに固定される。
【００１２】
これにより、支持部材における２つの分割部は、ケーシングに容易に固定される。
【００１３】
本発明の第４観点に係る空調室内機は、第１観点から第３観点のいずれかに係る空調室内機において、支持部材は、前側熱交換部の上方で分割されている。
【００１４】
これにより、駆動部に対するメンテナンスが必要な場合、前側熱交換部の上方側に位置する支持部材の一部分のみを取り出せばよいこととなるため、メンテナンスのし易さが向上する。
【００１５】
本発明の第５観点に係る空調室内機は、第１観点から第４観点のいずれかに係る空調室内機において、ケーシングは、下面に設けられた下面吸込口を更に有する。フィルタは、更に下面吸込口から吸込まれた空気から塵埃を除去する。
【００１６】
これにより、フィルタは、天面吸込口のみならず下面吸込口からも吸い込まれた空気から塵埃を除去する。そのため、フィルタは、下面吸込口が設けられていない空調室内機のフィルタに比して汚れ易くなり、その結果清掃部がフィルタを清掃する機会も多くなり易い。清掃部がフィルタを清掃する機会が多いと、清掃部のメンテナンスが必要となる場合が多くなる虞がある。しかし、この空調室内機では、支持部材が前後方向で分割されているため、清掃部のメンテナンスが必要となる場合が多くとも、支持部材は毎回ケーシングから取り出し易い構造となっている。特に、清掃部が前側分割部に支持されていることで、清掃部のメンテナンスにおいては、前側支持部材のみを取り出せばよいこととなる。従って、メンテナンスのための作業がし易くなる。
【発明の効果】
【００１７】
本発明の第１観点に係る空調室内機によると、支持部材をケーシングから取り出し易くなっている。
【００１８】
本発明の第２観点に係る空調室内機によると、駆動部に対するメンテナンスが必要な場合、支持部材全てをケーシングから取り外すのではなく、駆動部を支持している前側分割部のみを取り出せばよいこととなる。そのため、メンテナンスがよりし易くなる。
【００１９】
本発明の第３観点に係る空調室内機によると、支持部材における２つの分割部は、ケーシングに容易に固定される。
【００２０】
本発明の第４観点に係る空調室内機によると、駆動部に対するメンテナンスが必要な場合、前側熱交換部の上方側に位置する支持部材の一部分のみを取り出せばよいこととなるため、メンテナンスのし易さが向上する。
【００２１】
本発明の第５観点に係る空調室内機によると、清掃部のメンテナンスが必要となる場合が多くとも、支持部材は毎回ケーシングから取り出し易い構造となっている。特に、清掃部が前側分割部に支持されていることで、清掃部のメンテナンスにおいては、前側支持部材のみを取り出せばよいこととなる。従って、メンテナンスのための作業がし易くなる。
【図面の簡単な説明】
【００２２】
【図１】本実施形態に係る空調室内機の外観図。
【図２】本実施形態に係る空調室内機を図１のＩＩ−ＩＩ線で切断した場合の断面図。
【図３】本実施形態に係る支持部材がケーシング内に固定されている場合のケーシング内部の概観図であって、空調室内機からケーシング、底フレーム及び室内ファンを取り除いた場合の図。
【図４】清掃ユニットの概観図。
【図５】図２において、清掃ユニット付近を拡大した図。
【図６】図３において、支持部材からフィルタを外した場合の図。
【図７】本実施形態に係る支持部材の概観図。
【図８】図７の支持部材が前後方向に２つに分割された場合を表す図。
【図９】図３において、前側分割部と該分割部が支持する構成要素とをケーシングから取り出す場合の図。
【発明を実施するための形態】
【００２３】
以下、本発明に係る空調室内機について、図面を参照しつつ詳述する。なお、以下の実施形態は、本発明の具体例であって、本発明の技術的範囲を限定するものではない。
【００２４】
（１）構成
図１は、本発明の一実施形態に係る空調室内機１００の外観図である。この空調室内機１００は、室内の壁面等に取り付けられており、室外に設置されている室外機（図示せず）と冷媒配管（図示せず）を介して接続されている。空調室内機１００は、室内の冷房運転、暖房運転に加え、更にはフィルタ２５やブラシ３３（図２）を自動で清掃する自動清掃運転を行うことができる。
【００２５】
この空調室内機１００は、図１〜５に示すように、主として、ケーシング１１と、室内熱交換器１３と、室内ファン１５と、底フレーム１７と、フィルタ２５と、清掃ユニット３０（清掃部に相当）と、支持部材４０とを備える。
【００２６】
尚、以下の説明においては、「上」「下」「左」「右」「正面」「背面」等の方向を示す表現を適宜用いているが、これらは、空調室内機１００が図１の状態で室内の壁面等に設置された状態での各方向を表す。
【００２７】
（１−１）ケーシング
ケーシング１１は、図１に示すように、横方向（図１のＷ方向）に細長い箱状の形状を有している。具体的に、ケーシング１１は、図１，２に示すように、天面板１１ａ、前面板１１ｂ及び背面板１１ｃによって立体空間を形成し、その立体空間内に室内熱交換器１３、室内ファン１５、底フレーム１７、清掃ユニット３０及び支持部材４０が収納されている。天面板１１ａは、主として、ケーシング１１の天面を構成し、前面板１１ｂは、主として、ケーシング１１の正面を構成する。なお、前面板１１ｂは、その上端が天面板１１ａの一部分に回動自在に支持され、ヒンジ式に動作することができる。背面板１１ｃは、主として、ケーシング１１の背面を構成している。この背面板１１ｃが、室内の壁面に設置された取り付け板（図示せず）にビス止め等によって取り付けられることで、空調室内機１００は、室内の壁面に設置されることとなる。
【００２８】
そして、ケーシング１１の天面板１１ａには、該面１１ａの前側から後側にかけて天面吸込口２１が設けられている。この天面吸込口２１からは、該吸込口２１近傍の室内空気が、室内ファン１５の駆動によってケーシング１１内部へと取り込まれ、室内熱交換器１３の前側熱交換部１３ａ，１３ｂ（後述）及び後側熱交換部１３ｃ（後述）それぞれに送られる。なお、図２の点線の矢印Ａは、一例として、天面吸込口２１及び前側熱交換部１３ｂを介して室内ファン１５へと送られる室内空気の流れを表している。
【００２９】
また、ケーシング１１の下面は、主として、底フレーム１７の底部分１７ａ（後述）によって構成されているが、該下面には、下面吸込口２２と、吹出口２３とが形成されている。下面吸込口２２は、吹出口２３よりも壁側に設けられており、吸込流路１６によってケーシング１１の内部と繋がっている。下面吸込口２２からは、該吸込口２２近傍の室内空気が、室内ファン１５の駆動によってケーシング１１内部へと取り込まれ、吸込流路１６を通って室内熱交換器１３の後側熱交換部１３ｃ（後述）へと送られる。図２の点線の矢印Ｂは、一例として、下面吸込口２２から後側熱交換部１３ｃへと送られる室内空気の流れを表している。吹出口２３は、下面吸込口２２よりも空調室内機１００の正面側に設けられており、吹出流路１８によってケーシング１１の内部と繋がっている。吹出口２３からは、各吸込口２１，２２から吸い込まれ室内熱交換器１３にて熱交換された後の室内空気が、吹出流路１８を通って室内へと吹き出される。図２の点線の矢印Ｃは、吹出流路１８から吸込口２３を介して室内へと送られる空気の流れを表している。
【００３０】
吸込流路１６は、下面吸込口２２から底フレーム１７の流路形成部分１７ｂ（後述）に沿って形成されている。吹出流路１８は、吹出口２３から底フレーム１７の流路形成部分１７ｂに沿って形成されている。即ち、吸込流路１６及び吹出流路１８は、底フレーム１７の流路形成部分１７ｂを挟んで互いに隣接して位置していると言える。
【００３１】
なお、吹出口２３付近には、水平フラップ２３ａがケーシング１１に対して回動自在に取り付けられている。水平フラップ２３ａは、フラップ用モータ（図示せず）によって駆動することができ、空調室内機１００の運転状態に応じて吹出口２３を開閉する。更に、水平フラップ２３ａは、吹出口２３から吹き出された室内空気がユーザの所望する方向へと案内されるように、室内空気の吹き出し方向を変更する役割を担う。
【００３２】
（１−２）室内熱交換器
室内熱交換器１３は、複数のフィンと複数の伝熱管とで構成されている。室内熱交換器１３は、ケーシング１１内部において、底フレーム１７の一部分に取り付けられている。室内熱交換器１３は、空調室内機１００の運転状態に応じて蒸発器または凝縮器として機能することで、冷媒と該熱交換器１３を通過する空気との間で熱交換を行わせる。
【００３３】
特に、本実施形態に係る室内熱交換器１３は、図２に示すように、側面視において両端が下方に向いて屈曲する略逆Ｖ字型の形状を有し、その下方に室内ファン１５が位置している。本実施形態では、以下の説明の便宜上、このような形状を有する室内熱交換器１３のうち、室内ファン１５の前方を覆う熱交換部を、「前側熱交換部１３ａ，１３ｂ」といい、室内ファン１５の後側を覆う熱交換部を、「後側熱交換部１３ｃ」という。即ち、本実施形態に係る室内熱交換器１３は、前側熱交換部１３ａ，１３ｂと後側熱交換部１３ｃとが頂点１３ｄにおいて接続された略逆Ｖ字形状を有している。
【００３４】
なお、図２では、一例として、前側熱交換部１３ａ，１３ｂが、室内ファン１５の前方において更に折り曲げられた形状を有している場合を表している。即ち、前側熱交換部１３ａ，１３ｂは、上下方向において下方に位置する部分（即ち、前側熱交換部１３ａ）と上方に位置する部分（即ち、前側熱交換部１３ｂ）とに分かれて構成されている。しかし、前側熱交換部１３ａ，１３ｂは、室内ファン１５の前方を覆うように位置していればよく、図２に示すように上下方向に分かれた構成でなくともよい。
【００３５】
（１−３）室内ファン
室内ファン１５は、ケーシング１１の内部に位置しており、図１に示すＷ方向に細長い略円筒形状のクロスフローファンである。室内ファン１５は、駆動することで、天面吸込口２１及び下面吸込口２２それぞれから吸い込まれて室内熱交換器１３を通過した後に、吹出口２３から室内へと供給されるといった、室内空気の流れを生成する（図２の点線の矢印Ａ，Ｂ，Ｃを参照）。
【００３６】
この室内ファン１５は、その駆動軸が室内ファンモータ（図示せず）の出力軸に接続されている。室内ファンモータが駆動した際、該モータの出力が出力軸を介して室内ファン１５の駆動軸へと伝達されることで、室内ファン１５は駆動することができる。
【００３７】
（１−４）底フレーム
底フレーム１７は、底部分１７ａと流路形成部分１７ｂとで構成されている。
【００３８】
底部分１７ａは、ケーシング１１の下面の少なくとも一部を構成する要素であって、底フレーム１７のうち空調室内機１００の外部に露出している。そのため、空調室内機１００の下面視において、ユーザは、底部分１７ａを目視することができる。
【００３９】
流路形成部分１７ｂは、底フレーム１７のうち、ケーシング１１の内部に位置する要素である。流路形成部分１７ｂは、底部分１７ａの一端から上方に延びており、且つ室内ファン１５の形状に沿って湾曲した形状を有している。
【００４０】
（１−５）フィルタ
フィルタ２５は、主としてケーシング１１の天面板１１ａと室内熱交換器１３との間、つまりは室内熱交換器１３に対して室内空気の流れ方向の上流側に配置されており、ケーシング１１の内部に着脱可能に装着される。フィルタ２５は、前側熱交換部１３ａ，１３ｂ及び後側熱交換部１３ｃを覆っている。そして、フィルタ２５は、フィルタ２５の前後方向における後側端部２５ｂ（第１後側端部に相当）が、室内熱交換器１３の頂点１３ｄよりも下方に位置する形状を有している。より詳細には、本実施形態に係るフィルタ２５は、その略中央の部分がケーシング１１の天面板１１ａに沿って延びており、更にはその前後方向における前側端部２５ａ及び後側端部２５ｂが室内熱交換器１３の頂点１３ｄよりも下方に垂れ下がっていることで室内熱交換器１３の上方を覆う、いわゆる略逆Ｕ字形状を有している。
【００４１】
なお、本実施形態では、フィルタ２５の後側端部２５ｂは、後側熱交換部１３ｃをほぼ覆う位置にまで達しており、フィルタ２５の前側端部２５ａは、前側熱交換部１３ｂ全てを覆いつつ、且つ前側熱交換部１３ａの上部を部分的に覆う位置にまで達している。これにより、後側熱交換部１３ｃに対応するフィルタ２５の部分は、主に下面吸込口２２から吸い込まれた室内空気から塵埃を除去することができる。前側熱交換部１３ａ，１３ｂに対応するフィルタ２５の部分は、主に天面吸込口２１から吸い込まれた室内空気から塵埃を除去することができる。即ち、フィルタ２５は、室内熱交換器１３の表面が室内空気中の塵埃によって汚染されるのを防ぐためのものであると言うことができる。
【００４２】
このようなフィルタ２５は、例えば、樹脂製の糸で平織りまたは綾織された網であって、環形状（つまり、無端ベルト状）に成形されており、支持枠（図示せず）に掛け渡されている。支持枠に掛け渡されたフィルタ２５は、図３に示すように、空調室内機１００の正面視において右側と左側とに、並ぶようにして２つ設けられている。これらのフィルタ２５には、一般のフィルタに見られるような補強用の縁やリブが設けられていないため、フィルタ２５は、自身で安定した形状を維持することができない。そのため、フィルタ２５は支持枠に掛け渡されることで、環形状の形状を保っている。
【００４３】
（１−６）清掃ユニット
清掃ユニット３０は、図５に示すように、ケーシング１１内部において、フィルタ２５付近、より具体的にはフィルタ２５の下部の折り返し部分近傍に位置している。清掃ユニット３０は、フィルタ２５の清掃のみならず、フィルタ２５を直接清掃するブラシ３３（後述）の清掃も行うものであって、図２〜６に示すように、清掃ユニット用フレーム３１、フィルタ駆動部３２、ブラシ３３、ブラシ駆動部３４（フィルタ駆動部３２及びブラシ駆動部３４は、共に駆動部に相当）、ブラシ清掃部３５、塵埃受け部３７及び圧縮ローラ３８を有している。
【００４４】
清掃ユニット用フレーム３１は、図４に示すように、空調室内機１００の長手方向(図１のＷ方向）に沿った細長い形状を有しており、その内部にはブラシ３３が着脱可能に取りつけられている。また、図５に示すように、清掃ユニット用フレーム３１の上面には、開口部３１ａが形成されており、清掃ユニット用フレーム３１は、フィルタ２５下部の折り返し部分の更に下方に位置している。そのため、該フレーム３１の開口部３１ａを介してブラシ３３の一部が、清掃ユニット用フレーム３１の上方の空間に露出しつつ、且つ開口部３１ａを介してフィルタ２５に直接接触できるようになっている。
【００４５】
フィルタ駆動部３２は、フィルタ２５を周回させるものであって、ローラ３２ａやローラ用モータ（図示せず）等で構成される。ローラ３２ａの周面には、いわゆるパイル織りされた織物基布が貼り付けられている。ローラ３２ａの周面における織物基布はフィルタ２５の網目に入り込んでおり、ローラ３２ａとフィルタ２５との間には滑りが生じ難くなっている。ローラ用モータは、その出力軸がローラ３２ａの回転軸に接続されている。ローラ用モータが駆動することで、ローラ３２ａが回転し、フィルタ２５が周回することができるようになる。
【００４６】
ブラシ３３は、図４に示すように、清掃ユニット用フレーム３１と同様、空調室内機１００の長手方向に沿って細長い形状を有しており、長手方向に直交する断面が略円形の形状を有している。ブラシ３３は、フィルタ２５に直接接触することにより、フィルタ２５から塵埃を除去する。このようなブラシ３３は、図５に示すように、芯材３３ａと、芯材３３ａの周面に設けられた複数の線材３３ｂとによって構成されており、線材３３ｂは、フィルタ２５に接触可能な長さを有している。また、ブラシ３３は、清掃ユニット用フレーム３１に対して回転可能に設けられている。
【００４７】
ブラシ駆動部３４は、ブラシ３３を回転させるためのものであって、例えばステッピングモータで構成される。つまり、モータであるブラシ駆動部３４の出力軸は、ブラシ３３の回転軸に接続されており、ブラシ３３は、ステッピングモータが駆動することで回転することができる。例えば、ブラシ３３が回転する際は、フィルタ２５の移動が停止し、逆にフィルタ２５が移動している際は、ブラシ３３は回転を停止した状態となる。即ち、フィルタ駆動部３２及びブラシ駆動部３４は、フィルタ２５またはブラシ３３を相対的に移動させることができる。
【００４８】
ブラシ清掃部３５は、図４に示すように、清掃ユニット用フレーム３１に取り付けられている。ブラシ清掃部３５は、図５に示すように、ブラシ３３の回転軸方向に沿って配置され、かつ清掃ユニット用フレーム３１の背面からブラシ３３に向けて突出しており、更にはブラシ３３の回転方向（つまり、図５のブラシ３３部分における矢印の方向）に逆らうようにして傾斜している。これにより、ブラシ清掃部３５は、ブラシ３３が図５の矢印の方向に回転する場合、ブラシ３３の線材３３ｂの間の塵埃を掻き落とすことができる。
【００４９】
塵埃受け部３７は、図２，５に示すように、清掃ユニット用フレーム３１に取り付けられた状態でブラシ３３及びブラシ清掃部３５の下方に配置される。塵埃受け部３７内には、ブラシ清掃部３５によってブラシ３３から掻き落とされた塵埃が貯められる。また、塵埃受け部３７は、清掃ユニット用フレーム３１に対し着脱可能に取り付けられているため、ユーザは、塵埃受け部３７を清掃ユニット用フレーム３１及びケーシング１１から取り出して、塵埃受け部３７内にたまった塵埃を容易に処理することができる。
【００５０】
圧縮ローラ３８は、円柱状の棒状部材であって、清掃ユニット用フレーム３１に回転可能に支持されている。ここでは、圧縮ローラ３８は、図５に示すように、ブラシ清掃部３５の付近において、ブラシ３３に接触するようにして位置している。これにより、ブラシ３３が図５の矢印の方向へと回転した際、このブラシ３３の回転に追従して、ブラシ３３の回転方向とは逆の方向に回転する。この圧縮ローラ３８により、塵埃受け部３７内に溜まった塵埃は圧縮されるため、塵埃受け部３７内には塵埃が比較的多く入るようになる。更に、圧縮ローラ３８の回転により、比較的粘度の高い塵埃は、塵埃受け部３７へと確実に送られる。
【００５１】
（１−７）支持部材
支持部材４０は、図２に示すように、前側熱交換部１３ａ，１３ｂ及び後側熱交換部１３ｃの上方に位置し、図３，６に示すように、清掃ユニット３０の一部分であるフィルタ駆動部３２及びブラシ駆動部３４を支持する。そして、フィルタ２５の空調室内機１００への装着の際、フィルタ２５は、支持部材４０に沿ってケーシング１１の正面側から内部へと差し込まれることとなるが、支持部材４０は、該フィルタ２５をケーシング１１の背面側へと導くと共に該フィルタ２５を支持する。更に、支持部材４０は、該部材４０の下方側の端部であると共に前後方向における後側の端部でもある後側端部４０ｂ（第２後側端部に相当）が、室内熱交換器１３の頂点１３ｄよりも後側且つ下方に位置する形状を有している。
【００５２】
より具体的には、支持部材４０は、図２，３，６，７に示すように、その略中央の部分がケーシング１１の天面板１１ａに沿って延びており、更にはその前後方向における前側端部４０ａ及び後側端部４０ｂが室内熱交換器１３の頂点１３ｄよりも下方に垂れ下がっていることで室内熱交換器１３の上方を覆う形状を有している。即ち、前側端部４０ａ及び後側端部４０ｂのみに着目すると、支持部材４０は、いわゆる略逆Ｕ字型の形状を有している。
【００５３】
そして、図３，６，７に示すように、支持部材４０は、該部材４０の左右方向のほぼ中央を前後方向に延びる仕切部４１を挟んで位置する左側部分４２と右側部分４３とを有するが、図３に示すように、支持枠に掛け渡されたフィルタ２５は、該部分４２，４３それぞれの上面に装着される。フィルタ２５は、ケーシング１１への装着の際、まずは図６の状態にてケーシング１１の正面側からケーシング１１内へと差し込まれ、フィルタ２５の後側端部２５ｂが支持部材４０の後側端部４０ｂ付近に至るまで、支持部材４０の左側部分４２及び右側部分４３の上面に沿ってスライドする。これにより、フィルタ２５は、図３に示すように支持部材４０の上面に装着される。そのため、図６，７に示すように、支持部材４０の正面視において、左側部分４２及び右側部分４３それぞれの左右端部４２ａ，４２ｂ，４３ａ，４３ｂには、支持枠に掛け渡されたフィルタ２５の端面が対峙すると共に該フィルタ２５がスライドするためのスライド機構が設けられている。スライド機構は、詳細には、溝や複数の突起等で形成されている。即ち、左側部分４２及び右側部分４３それぞれの左右端部４２ａ，４２ｂ，４３ａ，４３ｂにおけるスライド機構は、フィルタ２５を支持部材４０上にて移動させるための構成であると言うことができ、フィルタ２５のケーシング１１への装着時のみならず、フィルタ２５の清掃時においてフィルタ２５を移動させる場合にも有益な構成である。
【００５４】
そして、特に、本実施形態に係る支持部材４０は、図８，９に示すように、前後方向に２つに分割されている。分割された支持部材４０の分割部４４，４５は、互いに離れて位置することのできる別々の部材である。以下では、説明の便宜上、分割部４４，４５のうち、ケーシング１１の正面側に位置する分割部４４を「前側分割部４４」、ケーシング１１の背面側に位置する分割部４５を「後側分割部４５」という。
【００５５】
特に、支持部材４０は、図９に示すように、前側熱交換部１３ａ，１３ｂの上方にて、２つの分割部４４，４５に分割されている。言い換えれば、支持部材４０は、室内熱交換器１３の頂点１３ｄよりもケーシング１１の正面側にて、２つに分割されている。
【００５６】
そして、前側分割部４４は、清掃ユニット３０のフィルタ駆動部３２及びブラシ駆動部３４を支持している。つまり、前側分割部４４は、清掃ユニット３０の構成要素のうち、比較的メンテナンスを必要とする構成要素を支持していると言える。何故ならば、フィルタ駆動部３２及びブラシ駆動部３４は、既に述べたようにモータ等によって構成されており、それ故フィルタ２５やブラシ３３の自動清掃運転が適切に行われない場合等には、フィルタ２５の目詰まりの他にモータの不具合が考えられるためである。
【００５７】
支持部材４０における前側分割部４４及び後側分割部４５は、空調室内機１００の組み立て時には、図３，６，７に示すように、各分割部４４，４５が互いに接合される。本実施形態では、前側分割部４４及び後側分割部４５は、図９に示すように、２本の螺子ｓｃ１，ｓｃ２が、各分割部４４，４５の左右端部において、ケーシング１１の正面側から背面側へとねじ込まれることで、ケーシング１１に固定される。即ち、２本の螺子ｓｃ１，ｓｃ２は、前側分割部４４側から後側分割部４５側へとねじ込まれることとなる。従って、空調室内機１００のメンテナンスを行う作業者は、２本の螺子ｓｃ１，ｓｃ２を逆に緩めることで、前側分割部４４と後側分割部４５とを簡単に引き離すこともできる。
【００５８】
このように、支持部材４０が前後方向に分割されていることにより、空調室内機１００のメンテナンス時、作業者は、支持部材４０が略逆U字型の形状であっても、前側分割部４４をケーシング１１から簡単に取り外すことができる。特に、分割部４４，４５のうち、ケーシング１１の正面側に位置している前側分割部４４には、メンテナンスを比較的必要とするフィルタ駆動部３２及びブラシ駆動部３４が支持されている。そのため、空調室内機１００のメンテナンス時、作業者は、構成上比較的取り出しにくくなっている後側分割部４５を取り出さずに、前側分割部４４のみを取り出すことで、メンテナンスを行うことができる。また、支持部材４０は、前側熱交換部１３ａ，１３ｂの上方、より具体的には室内熱交換器１３の頂点１３ｄよりもケーシング１１の正面側にて分割されているため、空調室内機１００は、前側分割部４４をより取り出しやすい構造となっている。即ち、空調室内機１００は、メンテナンス時、作業者によって前側熱交換部１３ａ，１３ｂの上方側に位置する支持部材４０の一部分のみが取り出されればよい構造となっている。
【００５９】
なお、支持部材４０を、前側熱交換部１３ａ，１３ｂの上方のうち詳細にどの位置にて分割するかについては、例えば螺子ｓｃ１，ｓｃ２を締め付けたり緩めたりする際に用いられる工具の形状等によって、適宜設定されると良い。
【００６０】
（１−８）その他の構成
上述した他に、空調室内機１００は、該室内機１００を構成する各種機器の制御を行う室内制御部（図示せず）を備えている。室内制御部は、ＣＰＵ及びメモリで構成されるマイクロコンピュータであって、ケーシング１１の前方部分に収まっている。例えば、室内制御部は、フラップ用モータ及び室内ファンモータと接続されており、これらのモータの駆動制御を行うことで、水平フラップ２３ａの開閉制御や角度制御、室内ファン１５の風量制御等を行う。
【００６１】
（２）特徴
（２−１）
空調室内機１００のメンテナンス時、支持部材４０をケーシング１１から取り出す必要がある。しかしながら、支持部材４０は例えば略逆Ｕ字型の形状を有するため、支持部材４０はケーシング１１から取り出しにくい状態にある。しかし、本実施形態に係る空調室内機１００では、支持部材４０が前後方向に分割されているため、支持部材４０をケーシング１１から取り出し易くなっている。
【００６２】
（２−２）
特に、清掃ユニット３０に含まれるフィルタ駆動部３２及びブラシ駆動部３４は、支持部材４０における２つの分割部４４，４５のうち、ケーシング１１の正面側に位置する前側分割部４４によって支持されている。これにより、空調室内機１００のメンテナンスの際、特に各駆動部３２，３４に対するメンテナンスが必要な場合、支持部材４０全てをケーシング１１から取り外すのではなく、各駆動部３２，３４を支持している前側分割部４４のみを取り出せばよいこととなる。そのため、メンテナンスがよりし易くなる。
【００６３】
（２−３）
また、前側分割部４４及び後側分割部４５は、螺子がケーシング１１の正面側から背面側へとねじ込まれることによって、ケーシング１１に固定される。これにより、前側分割部４４及び後側分割部４５は、ケーシング１１に容易に固定される。
【００６４】
（２−４）
特に、本実施形態に係る支持部材４０は、前側熱交換部１３ａ，１３ｂの上方で分割されている。これにより、清掃ユニット３０に含まれるフィルタ駆動部３２及びブラシ駆動部３４に対するメンテナンスが必要な場合、前側熱交換部１３ａ，１３ｂの上方側に位置する支持部材４０の一部分、つまりは前側分割部４４のみを取り出せばよいこととなるため、メンテナンスのし易さが向上する。
【００６５】
（２−５）
ところで、ケーシング１１は、天面吸込口２１のみならず下面吸込口２２をも更に有しており、フィルタ２５は、天面吸込口２１及び下面吸込口２２それぞれから吸込まれた室内空気から塵埃を除去する。そのため、フィルタ２５は、下面吸込口２２が設けられていない空調室内機のフィルタに比して汚れ易くなり、その結果清掃ユニット３０がフィルタ２５を清掃する機会が多くなり易い。清掃ユニット３０がフィルタ２５を清掃する機会が多いと、清掃ユニット３０のメンテナンスが必要となる場合が多くなる虞がある。
【００６６】
しかし、本実施形態に係る空調室内機１００では、清掃ユニット３０を支持する支持部材４０が前後方向で分割されているため、清掃ユニット３０のメンテナンスが必要となる場合が多くとも、支持部材０は毎回ケーシング１１から取り出し易い構造となっている。特に、清掃ユニット３０が前側分割部４４に支持されているため、清掃ユニット３０のメンテナンスにおいては、前側分割部４４のみを取り出せばよいこととなる。従って、メンテナンスのための作業がし易くなる。
【００６７】
（３）変形例
以上、本発明の実施形態について図面に基づいて説明したが、具体的な構成は、上記実施形態に限られるものではなく、発明の要旨を逸脱しない範囲で変更可能である。
【００６８】
（３−１）変形例Ａ
上記実施形態では、ケーシング１１に天面吸込口２１及び下面吸込口２２が設けられていると説明した。しかし、本発明に係る空調室内機は、下面吸込口２２が設けられておらず、天面吸込口２１のみが設けられた構成であってもよい。
【００６９】
（３−２）変形例Ｂ
上記実施形態では、図２に示すように、フィルタ２５及び支持部材４０が略逆Ｕ字型の形状を有している場合について説明した。しかし、フィルタ２５は、前後方向における後側端部２５ｂが室内熱交換器１３の頂点１３ｄよりも後側に位置している形状を有していれば良い。支持部材４０は、前後方向における後側端部４０ｂが室内熱交換器１３の頂点１３ｄよりも後側かつ下方に位置している形状を有していれば良い。そのため、フィルタ２５及び支持部材４０が有する形状は、略逆Ｕ字型に限定されず、例えば略逆Ｖ字型や略逆Ｗ字型等であってもよい。
【００７０】
（３−３）変形例Ｃ
上記実施形態では、支持部材４０が、前側分割部４４と後側分割部４５との２つに分割されている場合について説明した。しかし、支持部材４０は、２以上に分割されていてもよい。例えば、支持部材４０が３つに分割されている場合には、３つの分割部のうち、ケーシング１１の正面に一番近い側に位置する分割部が、清掃ユニット３０の各駆動部３２，３４を支持することとなる。
【００７１】
（３−４）変形例Ｄ
上記実施形態では、清掃ユニット３０のフィルタ駆動部３２及びブラシ駆動部３４の両方が支持部材４０の前側分割部４４に支持されると説明した。しかし、支持部材４０の前側分割部４４によって支持される被支持機構は、これに限定されず、例えばブラシ駆動部３４のみであってもよい。即ち、被支持機構は、例えば、比較的メンテナンスを必要とすることが多い機構であることができる。従って、支持部材４０は、清掃ユニット３０における各駆動部３２，３４のみならず、更に清掃ユニット３０における他の構成要素を支持していてもよい。
【００７２】
（３−５）変形例Ｅ
上記実施形態では、一例として、フィルタ２５が移動している場合にはブラシ３３が回転を停止し、ブラシ３３が回転している場合にはフィルタ２５は移動を停止していると説明した。しかし、フィルタ２５が移動している際、ブラシ３３は回転していてもよい。
【００７３】
（３−６）変形例Ｆ
上記実施形態では、前側分割部４４及び後側分割部４５は、螺子ｓｃ１，ｓｃ２がケーシング１１の正面側から背面側へとねじ込まれることでケーシング１１に固定されると説明した。しかし、前側分割部４４及び後側分割部４５が互いにケーシング１１に固定されるのであれば、その固定方法は螺子を用いた方法以外であってもよい。
【産業上の利用可能性】
【００７４】
以上のように、本発明によれば、空調室内機のメンテナンスの際、支持部材をケーシングから取り出し易くなる。そのため、本発明に係る空調室内機は、壁掛タイプのであって、特に空調室内機の天面と室内の天井との間隔が比較的狭い位置に取り付けられる場合にも、有用である。
【符号の説明】
【００７５】
１００  空調室内機
１１  ケーシング
１１ａ  天面板
１１ｂ  前面板
１１ｃ  背面板
１３  室内熱交換器
１３ａ，１３ｂ  前側熱交換部
１３ｃ  後側熱交換部
１５  室内ファン
１７  底フレーム
２１  天面吸込口
２２  下面吸込口
２３  吹出口
２５  フィルタ
２５ｂ  フィルタの後側端部
３０  清掃ユニット
３２  フィルタ駆動部
３４  ブラシ駆動部
４０  支持部材
４０ｂ  支持部材の後側端部
４４  前側分割部
４５  後側分割部
ｓｃ１，ｓｃ２  螺子
【先行技術文献】
【特許文献】
【００７６】
【特許文献１】特開２００１−３１１５３０号公報
【図１】
0005999944.tif 000002
【図２】
0005999944.tif 000003
【図３】
0005999944.tif 000004
【図４】
0005999944.tif 000005
【図５】
0005999944.tif 000006
【図６】
0005999944.tif 000007
【図７】
0005999944.tif 000008
【図８】
0005999944.tif 000009
【図９】
0005999944.tif 000010